【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
信号源（Ａ）からの信号（１）を、位相差を有する二つの信号、前記主増幅器経路（３，４，５）に向かう主信号（Ｂ）と、参照信号（Ｃ）に分割することと、
前記主信号（Ｂ）を第１直交ベクトル成分（ＢＩ／ＢＱ）に位相分割することと、
前記参照信号（Ｃ）を第２直交ベクトル成分（ＣＩ／ＣＱ）に位相分割することと、
前記ベクトル成分がデカルト系の一部を形成することと、
主信号（Ｂ）と参照信号（Ｃ）との位相差を測定することと、
位相差によって制御され、またそれにより位相差を最小化する座標の回転によりデカルト系を安定させることを含み、
前記信号源から信号を受信し、主出力を有する主増幅器経路を形成している線形電子増幅器において、位相を自動制御する方法であって、
前記主増幅器経路（３，４，５）のデカルト位相及び利得制御要素（４）において、前記第１分割信号（ＢＱ，ＢＩ）を受信し、そこから、前記主信号（Ｂ）の発信位相を発生することと、
デカルト位相検知器（２１，２２）を使用して、主増幅器（５）の出力から信号（Ｆ）と参照信号（Ｃ）の加算点（７）に向かう信号（Ｆ）と、参照信号（Ｃ）の間の位相差を決定することと、
前記位相差の測定は、デカルト位相及び利得制御要素（４）における発信位相（Ｉ，Ｑ）と、デカルト位相検知器（２１，２２）を使用して獲得した位相との位相差に関し実施することを特徴とする方法。
【請求項２】
前記信号源（Ａ）からの前記信号（１）を、位相差を有する二つの信号、前記主増幅器経路（３，４，５）に向けられた主信号（Ｂ）と、参照信号（Ｃ）に分割することと、
前記主信号（Ｂ）を第１直交ベクトル成分（ＢＩ／ＢＱ）に位相分割することと、
前記参照信号（Ｃ）を第２直交ベクトル成分（ＣＩ／ＣＱ）に位相分割すること、
前記ベクトル成分がデカルト系の一部を形成することと、
主信号（Ｂ）と参照信号（Ｃ）との位相差を測定することと、
位相差によって制御され、またそれにより位相差を最小化する前記座標の回転により前記デカルト系を安定化させることを含み、
前記信号源からの信号を受信し、主出力を有する前記増幅器経路を形成する線形電子増幅器の位相を自動制御する方法であって、
前記主増幅器経路（３，４，５）のデカルト位相及び利得制御要素（４）において、前記第１分割信号（ＢＩ，ＢＱ）を受信し、そこから前記主信号（Ｂ）の発信位相を発生することと、
前記デカルト位相及び利得制御要素（４）を制御する制御信号（Ｉ，Ｑ）を発生することと、
デカルト位相検知器（２１，２２）を使用して、主増幅器（５）の出力から信号（Ｆ）と参照信号（Ｃ）の加算点（７）に向かう信号（Ｆ）と、参照信号（Ｃ）の間の位相差を決定することと、
主信号（Ｂ）と参照信号（Ｃ）との位相差の測定は、前記制御信号の位相（Ｉ，Ｑ）を測定し、それをデカルト位相検知器（２１，２２）を使用して獲得された位相から減ずることにより行われることと、
を特徴とする方法。
【請求項３】
参照信号（Ｃ）と主増幅器（５）からの出力信号間の、差信号（Ｇ）を発生することと、
前記直交ベクトル（ＣＩ，ＣＱ）と前記差信号（Ｇ）を相関することにより誤差ベクトル（Ｈ，Ｊ）が発生し、該ベクトルは前記制御信号（Ｉ，Ｑ）を発生する回転を実施する前記回転手段（１１）への入力変数となることを特徴とする請求項２に記載の方法。
【請求項４】
主増幅器経路（３，４，５）において無線周波数（ＲＦ）信号（Ｅ）に関し回転を実施することを特徴とする請求項１ないし３のいずれかに記載の方法。
【請求項５】
参照信号（Ｃ）の位相に関し回転を実施することを特徴とする請求項１ないし４のいずれかに記載の方法。
【請求項６】
前記参照信号を第３直交ベルトル成分に位相分割することと、
前記第２位相分割手段（８）への入力を発生するために、前記第３直交ベクトル成分を相関することを特徴とする請求項５に記載の方法。
【請求項７】
主増幅器の出力から、信号（Ｆ）と前記参照信号の加算点（７）に向かう、前記信号（Ｆ）に関し回転を実施することを特徴とする請求項１に記載の方法。
【請求項８】
主増幅器の出力から発せられた前記参照信号（Ｆ）を、第４直交ベクトル成分に位相分割することと、
前記加算点（７）への入力を発生するために、前記第４直交ベクトル成分を相関することを特徴とする請求項７に記載の方法。
【請求項９】
増幅器の出力信号（Ｅ）と参照信号（Ｃ）との差を提供している誤差信号（Ｇ）に関し回転を実施することを特徴とする請求項３に記載の方法。
【請求項１０】
前記誤差信号（Ｇ）を第５直交ベクトル成分に位相分割することと、
前記第５直交ベクトル成分を相関することにより前記相関手段（９，１０）への入力が発生し、該相関手段が前記第２直交ベクトルと前記差信号（Ｇ）を受信し、相関することにより誤差ベクトルが発生することを特徴とする請求項９に記載の方法。
【請求項１１】
前記信号源（Ａ）からの前記信号（１）を、位相差を有する二つの信号、前記主増幅器経路（３，４，５）に向かう主信号（Ｂ）と、参照信号（Ｃ）とに分割する信号分割手段（Ａ１）と、
前記主信号（Ｂ）を第１直交ベクトル成分（ＢＩ，ＢＱ）に分割する第１位相分割手段（３）と、
前記参照信号（Ｃ）を第２直交ベクトル成分（ＣＩ，ＣＱ）に分割する第２位相分割手段（８）と、
前記ベクトル成分がデカルト系の一部を形成することと、
主信号（Ｂ）と参照信号（Ｃ）との位相差を測定する手段（２１，２２，２３）と、
位相差によって制御され、それにより位相差を最小化する前記座標の回転により前記デカルト系を安定化させる回転手段（１１；２７；２９；３１）を含み、
信号源（１）から信号（Ａ）を受信し、主出力（Ｅ）を有する主増幅器経路を形成している線形化電子増幅器（３，４，５）において、位相を自動制御するシステムであって、
前記主増幅器経路（３，４，５）において、前記第１分割信号（ＢＱ，ＢＩ）を受信し、そこから前記主信号（Ｂ）の発信位相を発生するデカルト位相及び利得制御要素（４）と、
主増幅器（５）の出力から信号（Ｆ）と参照信号（Ｃ）の加算点（７）に向かう信号（Ｆ）と、参照信号（Ｃ）の間の位相差を決定するデカルト位相検知器（２１，２２）と、
デカルト位相及び利得制御要素（４）における発信位相（Ｉ，Ｑ）と、デカルト位相検知器（２１，２２）を使用して獲得された位相との間の位相差に関し、前記測定を実施する手段（２３）を特徴とするシステム。
【請求項１２】
前記信号源（Ａ）からの前記信号（１）を、位相差を有する２つの信号、前記主増幅器経路（３，４，５）に向かう主信号（Ｂ）と参照信号（Ｃ）とに分割する信号分割手段（Ａ１）と、
前記主信号（Ｂ）を第１直交ベクトル成分（ＢＩ／ＢＱ）に位相分割する第１位相分割手段（３）と、
前記参照信号（Ｃ）を第２直交ベクトル成分（ＣＩ，ＣＱ）に分割する第２位相分割手段（８）と、
前記ベクトル成分がデカルト系の一部を形成していることと、
主信号（Ｂ）と参照信号（Ｃ）との位相差を測定する手段（２１，２２，２３）と、
位相差によって制御され、それにより位相差を最小化する前記座標の回転により前記デカルト系を安定化する回転手段（１１；２７；２９；３１）を含み、
前記信号源（１）から信号（Ａ）を受信し、主出力（Ｅ）を有する主増幅器経路を形成している線形化電子増幅器（３，４，５）において、位相を自動制御するシステムであって、
前記主増幅器経路（３，４，５）において、第１分割信号（ＢＩ，ＢＱ）を受信し、そこから前記主信号（Ｂ）の発信位相を発生するデカルト位相及び利得制御要素（４）と、
前記デカルト位相及び利得制御要素（４）を制御するための制御信号（Ｉ，Ｑ）を発生する手段（９，１０，１１，１２，１３）と、
主増幅器（５）の出力から信号（Ｆ）と参照信号（Ｃ）の加算点（７）に向かう信号（Ｆ）と、参照信号（Ｃ）の位相差を決定するデカルト位相検知器（２１，２２）と、
主信号（Ｂ）と参照信号（Ｃ）との位相差の測定は、前記制御信号（Ｉ，Ｑ）の位相を測定し、それをデカルト位相検知器（２１，２２）を使用して獲得された位相から減ずることにより行われる手段と、
を特徴とするシステム。
【請求項１３】
主増幅器（５）からの出力信号と参照信号（Ｃ）の差信号（Ｇ）を発生する手段（７）と、
前記制御信号（Ｉ，Ｑ）を発生する回転を実施する前記回転手段（１１）への入力変数となる誤差ベクトル（Ｈ，Ｊ）を発生するために、前記直交ベクトル（ＣＩ，ＣＱ）と前記差信号（Ｇ）を受信し、相関する相関手段（９，１０）とを特徴とする請求項１２に記載のシステム。
【請求項１４】
前記回転手段（１１）は、主増幅器経路（３，４，５）において、無線周波数（ＲＦ）信号（Ｅ）に関し回転を実施することを特徴とする請求項１１ないし１３のいずれかに記載のシステム。
【請求項１５】
前記回転手段は、参照信号（Ｃ）の位相に関し回転を実施することを特徴とする請求項１１ないし１３のいずれかに記載のシステム。
【請求項１６】
前記参照信号（Ｃ）を第３直交ベクトル成分に分割する第３位相分割手段（２６）と、
前記第２位相分割手段（８）への入力を発生するために、前記第３直交ベクトル成分を受信し、相関する相関手段（２７）を特徴とする請求項１５に記載のシステム。
【請求項１７】
前記回転手段は、主増幅器の出力から信号（Ｆ）と前記参照信号の加算点（７）に向かう前記信号（Ｆ）に関し回転を実施することを特徴とする請求項１１に記載のシステム。
【請求項１８】
主増幅器の出力から発せられた前記参照信号（Ｆ）を第４直交ベクトル成分に位相分割する第４位相分割手段（２８）と、
前記加算点（７）への入力を発生するために、前記第４直交ベクトル成分を受信し、相関する相関手段（２９）を特徴とする請求項１７に記載のシステム。
【請求項１９】
前記回転手段は、増幅器の出力信号（Ｅ）と参照信号（Ｃ）との間の差を提供している誤差信号（Ｇ）に関し回転を実施することを特徴とする請求項１３に記載のシステム。
【請求項２０】
前記誤差信号（Ｇ）を第５直交ベクトル成分に位相分割する第５位相分割手段（３０）と、
前記第２直交ベクトルと前記差信号（Ｇ）を受信及び相関することにより誤差ベクトルを発生する前記相関手段（９，１０）への入力を発生するために、前記第５直交ベクトル成分を受信及び相関する第５相関手段（３１）を特徴とする請求項１９に記載のシステム。